(57)【特許請求の範囲】
【請求項１】
立方体の一方向に沿って連続する３面を開口部とし、前記３面の開口部を連絡する通路を画成する厚みを持つ３面の平板状面を備え、
前記３面の開口部のうち、隣接する２面の前記開口部の間の稜線である２辺がそれぞれなく、前記通路が外に向かって開いている、
立体迷路の作成時に使用するためのＵ字ピース。
【請求項２】
立方体の隣接する２面を開口部とし、前記２面の開口部を連絡する通路を画成する厚みを持つ４面の平板状面を備え、
隣接する２面の前記開口部の間の稜線である辺がなく、前記通路が外に向かって開いている、
立体迷路の作成時に使用するための角ピース。
【請求項３】
請求項１に記載の前記Ｕ字ピースと請求項２に記載の前記角ピースとの少なくとも１種類を使用して構成された、自作できる立体迷路。
【発明の詳細な説明】
【技術分野】
【０００１】
本発明は、組み合わせて立体迷路を形成するための立体迷路用ピース及びこれを用いて構成された自作できる立体迷路に関する。
【背景技術】
【０００２】
従来、市場に出ている迷路の多くは２次元の平面で構成されており、例えば、迷路板の傾きを変化させてその上に置かれた玉等を転がして遊ぶものが多かった。【０００３】
さらに、立方体に玉の通路を設けたピースを並べたり積み上げて、隣り合うピース間に玉を移動させる立体迷路が提案されている（例えば、特許文献１乃至３参照。）。
【先行技術文献】
【特許文献】
【０００４】
【特許文献１】特開２００６−６１９号公報
【特許文献２】実開平１−１３５９８８号公報
【特許文献３】実開昭６２−６１２７９号公報
【発明の概要】
【発明が解決しようとする課題】
【０００５】
しかし、上記特許文献１乃至３に記載の立体迷路では、立方体に穴を穿って通路を形成しているが、時間と費用を要し、金型成形はピース内の通路が曲がったり交差しているため難しく、容易に立体迷路用ピースが大量生産されなかった。【０００６】
本発明の目的は、作成が容易な立体迷路用ピースを提供することである。
【課題を解決するための手段】
【０００７】
本発明に係る立体迷路用ピースは、立方体の６面のうちの少なくとも２面は、開口部を有すると共に、前記２面の開口部を連絡する通路が前記立方体の平板状面によって画成されている。
【発明の効果】
【０００８】
本発明に係る立体迷路用ピースによれば、２面の開口部を互いに連絡する通路が立方体の平板状面によって画成されているので、比較的簡易に形成できる。
【図面の簡単な説明】
【０００９】
【図１】直角に曲がる通路を持つ角ピースのみを８つ用いて２ｘ２ｘ２の立体迷路を構成する概略斜視図である。
【図２】Ｕ字ピースのみを８つ用いて２ｘ２ｘ２の立体迷路を構成する概略斜視図である。
【図３】Ｕ字ピースと角ピースとの通路の接続の一例を示す概略斜視図である。
【図４】Ｕ字ピース、直線ピース、角ピースを用いた通路の接続の一例を示す概略斜視図である。
【図５】３ｘ３ｘ３の立体迷路のすべてのピースを通過する経路の一例を示す模式図である。
【図６】図５の左面と下面の２面に１５個の直線ピースと角ピースを配置した概略斜視図である。
【図７】図５のピース全てをＵ字ピースのみに置き換えた概略斜視図である。
【図８】図７の構成に、角ピース、直線ピースの１２個を加えた３ｘ３ｘ３の立体迷路を構成する概略斜視図である。
【図９】開口部を有しない面に覗き穴を設けた不透明の立体迷路用ピースを用いて３ｘ３ｘ３の立体迷路を構成する概略斜視図である。
【発明を実施するための形態】
【００１０】
第１の態様に係る立体迷路用ピースは、立方体の６面のうちの少なくとも２面は、開口部を有すると共に、前記２面の開口部を連絡する通路が前記立方体の平板状面によって画成されている。
【００１１】
第２の態様に係る立体迷路用ピースは、上記第１の態様において、前記立方体の６面のうちの少なくとも隣接する２面は、前記２面にわたって連続する開口部を有してもよい。
【００１２】
第３の態様に係る立体迷路用ピースは、上記第１又は第２の態様において、前記通路を構成する前記立方体の平板状面は、前記立方体の１辺の長さの１／３以下の厚さを有してもよい。
【００１３】
第４の態様に係る立体迷路用ピースは、上記第１から第３のいずれかの態様において、前記通路を構成する前記立方体の平板状面は、曲面を含んでもよい。つまり、通路を構成する平板状面は少なくとも一部に曲面を含んでもよい。
【００１４】
第５の態様に係る立体迷路用ピースは、上記第１から第４のいずれかの態様において、前記立方体の６面のうちの隣接する２面は、前記２面にわたって連続する開口部を有すると共に、前記２面の開口部を互いに連絡する通路が前記立方体の平板状面によって画成されている、角ピースであってもよい。
【００１５】
第６の態様に係る立体迷路用ピースは、上記第１から第５のいずれかの態様において、前記立方体の６面のうちの一方向に沿って連続する３面は、前記３面にわたって連続する開口部を有すると共に、前記３面の開口部を互いに連絡する通路が前記立方体の平板状面によって画成されている、Ｕ字ピースであってもよい。
【００１６】
第７の態様に係る立体迷路用ピースは、上記第１から第６のいずれかの態様において、
前記立方体の８つの頂点を維持していてもよい。
【００１７】
第８の態様に係る立体迷路用ピースは、上記第１から第７のいずれかの態様において、前記通路を画成する前記立方体の平板状面に開口を有してもよい。
【００１８】
第９の態様に係る立体迷路は、第５又は第６の態様に係る立体迷路用ピースを用いて構成されている。
【００１９】
以下、実施の形態に係る立体迷路用ピース及び立体迷路について、添付図面を参照しながら説明する。なお、図面において実質的に同一の部材については同一の符号を付している。
【００２０】
（実施の形態１）
図１は、直角に曲がる通路を持つ角ピース２のみを８つ用いて２ｘ２ｘ２の立体迷路を構成する概略斜視図である。図２は、Ｕ字ピース４のみを８つ用いて２ｘ２ｘ２の立体迷路を構成する概略斜視図である。図３は、Ｕ字ピース４と角ピース２との通路の接続の一例を示す概略斜視図である。図４は、Ｕ字ピース４、直線ピース３、角ピース２を用いた通路の接続の一例を示す概略斜視図である。
【００２１】
実施の形態１に係る立体迷路用ピース２、３、４は、立方体の６面のうちの少なくとも２面は、開口部を有する。つまり、開口部は、立方体の平板状面によって支えられている。また、２面の開口部を連絡する通路が立方体の平板状面によって画成されている。さらに、通路を構成する立方体の平板状面は、立方体の１辺の長さの１／３以下の厚さを有する。
この立体迷路用ピース２、３、４によれば、２面の開口部を連絡する通路が立方体の平板状面によって画成されているので、比較的簡易に形成できる。
【００２２】
なお、通路を構成する立方体の平板状面は、玉の通路を画成できればよく、通路を構成する平板状面は、平面又は曲面又は平面の一部に曲面を有する場合であってもよい。これによって、立体迷路用ピースを容易に構成することができる。また、多角面又は凹凸面であってもよい。さらに、平板状面は、通路の方向に沿って勾配を持ってもよい。また、平板状面は、厚さがほぼ一定であってもよい。立方体の平板状面は、通路を画成できればよく、例えば、立方体の１辺の１／３以下の厚さを有し、一定の強度を保つことができる厚さ、例えば、１ｍｍ以上の厚さを有することが好ましく、３ｍｍ以上の厚さを有することがさらに好ましい。これによって、立体迷路用ピースを積み上げた際に厚みの部分で互いの面が接するので、互いのピースの面が嵌入しないようにすることができる。また、例えば、立方体の平板状面は、樹脂、金属、木材、厚紙等によって構成できる。均一に形成するためには樹脂によって形成することが好ましい。また、立方体の平板状面は、透明でも不透明でもよい。さらに、図９に示すように、立方体の面に覗き孔８を設けてもよい。
【００２３】
また、隣接する２面がその２面にわたって連続する開口部を有することが好ましい。この場合、２面の間の稜線である辺がなく、連続する開口部は外に向かって開いており、さらに金型成形しやすい構造となっている。隣接する２面が連続する開口部を有する立体迷路用ピースとしては、例えば、後述する角ピース２及びＵ字ピース４である。
【００２４】
なお、この立体迷路用ピースでは、立方体の８つの頂点及び１２本の辺のうち、連続しない辺があってもよいが、８つの頂点は維持していることが好ましい。立体迷路用ピースを積み上げたとき、立体迷路用ピースが立方体の８個の頂点を維持していると、立体迷路として安定するという効果を奏する。例えば、後述する直線ピース、角ピース、Ｕ字ピースは、８つの頂点を維持しているので積み上げた際にも安定している。
【００２５】
以下に、この立体迷路用ピース２、３、４の具体例である、角ピース２、Ｕ字ピース４、直線ピース３について説明する。
【００２６】
＜角ピース＞
図１（ａ）は、直角に曲がる通路を持つ角ピース２のみを８つ用いて２ｘ２ｘ２の立体迷路１０を構成する概略斜視図である。図１（ｂ）は、箱１７ｂに収納した立体迷路１０を示す概略斜視図である。
図１（ａ）及び（ｂ）を用いて、角ピース２について説明する。この角ピース２は、立方体の６面のうちの互いに隣接する２面がその２面にわたって連続する開口部９ａ、９ｂを有する。また、２面の開口部９ａ、９ｂを互いに連絡する出入口１２ａ、１２ｂが立方体の平板状面によって画成されている。角ピース２では、２面がその２面にわたって連続する開口部９ａ、９ｂとなっており、２面の間の稜線である辺がなく、外に向かって開いている。このため、金型成形を容易に行うことができる。なお、角ピース２では、立方体の８つの頂点及び１２本の辺のうち、連続しない辺が１本あるものの、立方体の８つの頂点を維持している。８つの頂点を維持しているので、積み上げて立体迷路を構成した際にも安定している。
玉１６は、開口部の１つの開口部９ａを介して角ピース２に入り、直角方向のもう一つの開口部９ｂを介して角ピース２を出る。このため、角ピース２では、玉の通路（９ａ→９ｂ）は直角に曲がる（直角通路）。角ピース２の直角通路の一方の開口部９ｂに他のピースの開口部９ａが接することにより直角通路が連続する通路の一部となる。８つの角ピース２をその通路が連続するように組み合わせることによって、各角ピース２の通路が連続した経路１１を有する立体迷路１０が構成される。なお、図１の角ピース２の組みあわせは一例であって、これに限られない。
【００２７】
＜Ｕ字ピース＞
図２（ａ）は、Ｕ字ピース４のみを８つ用いて２ｘ２ｘ２の立体迷路１０ａを構成する概略斜視図である。図２（ｂ）は、箱１７ｂに収納した立体迷路１０ａを示す概略斜視図である。
図２（ａ）及び（ｂ）を用いて、Ｕ字ピース４について説明する。Ｕ字ピース４は、立方体の６面のうちの一方向に沿って連続する３面がその３面にわたって連続する開口部９ａ、９ｂ、９ｃである。また、３面の開口部９ａ、９ｂ、９ｃを互いに連絡する出入口１２ａ、１２ｂ、１２ｃが立方体の平板状面によって画成されている。Ｕ字ピース４では、３面がその３面にわたって連続する開口部９ａ、９ｂ、９ｃとなっており、隣接する２面の間の稜線である２辺がそれぞれなく、外に向かって開いている。このため、金型成形を容易に行うことができる。なお、Ｕ字ピース４では、立方体の８つの頂点及び１２本の辺のうち、連続しない辺が２本あるものの、立方体の８つの頂点を維持している。８つの頂点を維持しているので、積み上げて立体迷路を構成した際にも安定している。Ｕ字ピース４とは、開口部でない連続する３面を上記一方向から見た形状がＵ字形状であることに基づく。通路を画成する連続する３つの面の両端は脚部とも呼ばれる。Ｕ字ピースでは、後述の図３及び図４（ａ）に示すように、３つの開口部９ａ、９ｂ、９ｃを有するので、玉の通路も３つの出入口１２ａ、１２ｂ、１２ｃとなる。
また、図４（ｂ）に示すように、Ｕ字ピース４の配置によって、下の面１７で３つの出入口１２ａ、１２ｂ、１２ｃのうちの１つを封止でき、あたかも直線ピース又は角ピースであるかのように機能させることができる。つまり、他のピースの面あるいは箱の面で３つの出入口のうちの１つを封止してもよい。
Ｕ字ピース４は、３つの出入口を有するので、直線ピース３や角ピース２を使用するときよりピースの配置を考える必要があり、脳トレーニングとなる。
【００２８】
＜直線ピース＞
図４（ｃ）は、直線ピース３の通路を示す概略図である。直線ピース３は、立方体の対向する２面が開口部９ａ、９ｂである。また、２面の開口部９ａ、９ｂを互いに連絡する出入口１２ａ、１２ｂが立方体の平板状面によって画成されている。直線ピース３では、２面が開口部９ａ、９ｂとなっている。直線ピース３では、立方体の８つの頂点及び１２本の辺のうち、連続しない辺はなく、立方体の８つの頂点は全て維持しているので、積み上げて立体迷路を構成した際にも安定している。この直線ピース３では、出入口１２ａから出入口１２ｂへの通路が直線的であり、直線ピース３のみでは立体迷路を構成できない。そのため、例えば、図４（ｃ）に示すように、直線ピース３の出入口１２ｂから角ピース２の出入口１２ａに接続し、角ピース２によって通路を直角に曲げて出入口１２ｂに導くことで立体的な経路を構成できる。
【００２９】
＜その他のピース＞
なお、後述のように、立体迷路には、開口部を有しない６面が全て閉じた面からなる立方体ピースや、１面が開口部であり、他の５面が開口部を有しない面からなる盲端ピースを用いてもよい。これらの立方体ピース及び盲端ピースは、経路を構成しない点で立体迷路の主要な構成部材ではない。
【００３０】
＜通路の接続について＞
図３は、Ｕ字ピース４と角ピース２との通路の接続の一例を示す概略斜視図である。図４（ａ）は、Ｕ字ピース４の出入口１２ａ、１２ｂ、１２ｃを示す概略斜視図であり、（ｂ）は、２つのＵ字ピースの配置による通路の接続を示す概略斜視図であり、（ｃ）は、直線ピース３から角ピース２への通路の接続を示す概略斜視図である。
図３及び図４（ａ）に示すように、Ｕ字ピース４は、３つの出入口１２ａ、１２ｂ、１２ｃを有し、図３では、出入口１２ｂに角ピース２の通路を接続して経路を構成している。
図４（ｂ）に示すように、Ｕ字ピース４は、配置によって３つの出入口のうちの１つを封止できる。例えば、図４（ｂ）下段のＵ字ピース４は、Ｕ字部の脚部下面が塞がれているので直線ピースと同様に、出入口１２ａ、１２ｂの通路が直線となる。図４（ｂ）上段のＵ字ピースでは、Ｕ字部の片面が塞がれているので角ピースと同様に、出入口１２ｃ、１２ｂの通路が直角となる。また、図４（ｃ）に示すように、直線ピース３による直線の通路を角ピース２によって直角に曲げることができる。なお、図７において１５個のＵ字ピースにてＵ字ピースの配置と迷路の経路を示してある。
以上のように、各ピースの通路を適切に接続することで立体迷路を構成するための経路とすることができる。
【００３１】
＜３ｘ３ｘ３の立体迷路＞
３ｘ３ｘ３の立体迷路は、２７個のピースからなり、スタートのピースからゴールのピースへの経路は通過しないピースを含めると１０００例以上ある。図５は、スタートからゴールまで２７個すべてのピースを通過する経路１１の一例であり、この経路１１に準じて図６、７、８ではピースの配置例を示す。図６は、図５の左面と下面の２つの面１７に、角ピース２と直線ピース３の１５個を配置した概略斜視図である。
【００３２】
図７（ａ）は、図６の角ピース２と直線ピース３の１５個をすべてＵ字ピース４に置き換えた概略斜視図である。図７（ｂ）は、図７（ａ）の１５個のピースを３面からなる箱１７ｂに収納した状態を示す概略斜視図である。図７（ａ）及び（ｂ）では、Ｕ字ピース４が箱の面１７や隣接したピースの面を利用して角ピース２、直線ピース３の代わりとなることを示している。このＵ字ピース４の置き方を考えるだけで脳トレーニングとなる。図８（ａ）は、図７（ａ）の構成に、角ピース２、直線ピース３の１２個を加えて２７個全体のピースの配置を示した概略斜視図である。図８（ｂ）は、図８（ａ）の２７個のピースを箱１７ｂに収納して、３ｘ３ｘ３の立体迷路２０ｂを構成した概略斜視図である。立体迷路使用時は、スタート部にあるピースに玉１６を投入し箱１７ａを蓋として使用しバンドで箱１７ｂと箱１７ａを固定してから両手で回転させて使用する。
【００３３】
＜分岐点について＞
図５の様に２７個のピースのすべてを分岐点なく通過する経路は比較的易しい迷路となる。Ｕ字ピース４は３か所の出入口を持つため迷路に分岐部を作成できて難易度を上げることができる。なお、平面迷路でも分岐部と盲端を有するのは普通であり、立体迷路においても分岐部と盲端を有する方が面白く難易度が非常に上がる。さらに、角ピース２、直線ピース３、Ｕ字ピース４の各ピースにおいて、通路を構成する立方体の平板状面に玉の通過する開口を設けることによって分岐部を増やしてもよい。この場合、立方体の平板状面の開口を囲む枠は保持する。これによって開口を増やしても立方体の頂点を維持でき、安定さを保つことができる。
【００３４】
＜覗き孔＞
図９（ａ）は、開口部を有しない面に覗き孔８を設けた直線ピース３を示す概略斜視図であり、（ｂ）は、開口部を有しない面に覗き孔８を設けた角ピース２を示す概略斜視図であり、（ｃ）は、開口部を有しない面に覗き孔８を設けた立体迷路用ピース１を用いて３ｘ３ｘ３の立体迷路２０ｃを構成する概略斜視図であり、（ｄ）は、立体迷路２０ｃを収納する箱７と蓋１５を示す概略斜視図である。
図９では、不透明素材で作成した直線ピース３と角ピース２とを使用し、箱７に収納した３ｘ３ｘ３の立体迷路２０ｃの例を示している。玉１６の経路の一例は、例えば、図６と同様とする。この立体迷路２０ｃは、全部で２７個のピースからなり、図６に示すように、その経路１１は長く、玉１６が経路１１内のどこにいるか不明となることがある。そこで、角ピース２と直線ピース３の壁面に玉１６の移動に支障のない覗き孔８を設けて玉１６の所在を明らかにしている。覗き孔８は、形、大きさ、数は自由で玉１６の位置が観察できればよい。また、透明なピースと不透明なピースを混ぜて立体迷路を作成してもよい。不透明な箱７のときは、箱７の面に複数の孔を設けて覗き孔８が見えるようにすればよい。覗き孔８と箱の面の孔が無いときは玉が見えないため立体迷路の難易度が上がる。
なお、覗き孔の径を大きくして玉の通過する開口としてもよい。
【００３５】
立体迷路の大きさは自由だが、両手で遊ぶためなら、例えば、１辺６０ｍｍ前後が使用し易い。３ｘ３ｘ３の立体迷路だと１つのピースの１辺が２０ｍｍ前後となる。各ピースについて、隣接するピース同士が陥入しないためには、１つの立体迷路用ピースの各面の厚みは１ｍｍ以上、さらに３ｍｍ以上が望ましい。また、立体迷路用ピースは、立方体の１辺の中央が少なくとも接する四隅が大きいと安定性が得られる。直線ピースの面の厚みが３ｍｍだと内腔は幅１４ｍｍとなり直径１３ｍｍ前後の玉をころがすことができる。４ｘ４ｘ４の迷路だと１辺１５ｍｍのピースとなる。立体迷路用ピースの各面の厚みが３ｍｍだと立方体の内腔は幅９ｍｍとなり直径８ｍｍの玉を転がすことができる。
【００３６】
なお、３ｘ３ｘ３の立体迷路には２７個の通過部、４ｘ４ｘ４の立体迷路には６４個の通過部が有る。この場合、大きな立体迷路を作成するとき、すべての箇所に通路を有する立体迷路用ピースを配置する必要はない。例えば、一部の箇所には、六面が閉じた正六面体のピースや一面を外した５面でなる箱型の盲端にもなるピースを置いて空間を埋めてもよい。また、透明ピースや不透明ピースや着色ピースを混在させてもよい。これによって視覚的に楽しめるものとすることができる。
【００３７】
さらに、立体迷路の遊び方として、出入口の２か所を往復させるように構成してもよい。あるいは、４ｘ４ｘ４以上の迷路空間を大きくした立体迷路では、ゴールを立体迷路の中に設置して往復を攻略するように構成してもよい。さらに、この立体迷路用ピースによれば、色々な遊び方を自ら考えることができる立体迷路を自作できる。
【００３８】
＜金型成形について＞
本立体迷路用ピースは、通路が立方体の平板状面によって画成されており、玉の通路が広く、特に、角ピース２、Ｕ字ピース４は通路が外に開いており、金型成形しやすい。また、通路面に外に開く勾配をつけ、外側面にも勾配をつけると更に金型成形しやすい構造となり大量生産が可能となる。このとき１辺２０ｍｍのピースでは辺の長さが０．５ｍｍ程度短縮する部位が出るがピースの迷路作成や遊びに影響はない。
【００３９】
この立体迷路用ピース及びこれを用いた自作できる立体迷路によれば、以下の効果を有する。
（イ）立体迷路は、例えば、立体迷路全体を回転させて玉を入口から出口に誘導して攻略したり、立体迷路用ピースを入口から出口に通路をつないで作成することができる。このとき、立体迷路作成時及び攻略時も脳内で玉の経路を立体的にイメージするため、脳トレーニングとなる。
（ロ）複数の立体迷路用ピースを設けているので、立体迷路の経路を作成するときに各ピースを選ぶ楽しみがある。
（ハ）各立体迷路用ピースにおいて、玉の通路を立方体の平板状面にて作成しているため、通路に比較的大きな玉を入れることができる。
（ニ）立方体のピースに孔を穿つのではなく正六面体の開いた面にて玉の通路を構成するため、立体迷路用ピースの金型成形が容易となる。
（ホ）各立体迷路用ピースにおいて、玉の通路を立方体の平板状面にて作成するため、材料が少なくてすみ、製造コストを下げることができる。
【００４０】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００４１】
本発明に係る立体迷路用ピースによれば、２面の開口部を互いに連絡する通路が立方体の平板状面によって画成されているので、比較的簡易に形成できる。
【符号の説明】
【００４２】
１  立体迷路用ピース
２  角ピース
３  直線ピース
４  Ｕ字ピース
７  箱
８  覗き孔
９ａ、９ｂ、９ｃ  開口部
１０、１０ａ、２０、２０ａ、２０ｂ、２０ｃ  立体迷路
１１  経路
１２ａ、１２ｂ、１２ｃ  出入口
１５  蓋
１６  玉
１７  面
１７ａ  箱（上部）
１７ｂ  箱（下部）
【図１】
0006653095.tif 000002
【図２】
0006653095.tif 000003
【図３】
0006653095.tif 000004
【図４】
0006653095.tif 000005
【図５】
0006653095.tif 000006
【図６】
0006653095.tif 000007
【図７】
0006653095.tif 000008
【図８】
0006653095.tif 000009
【図９】
0006653095.tif 000010